(57)【特許請求の範囲】
【請求項１】
所定の平面部材上での位置指示器による指示操作に基づいて、その指示位置を特定して位置座標を入力する座標入力装置において、
光学的に透過率が相違する少なくとも２種類の不可視な要素により形成された所定の位置座標に対応する位置パターンを、位置座標ごとに配設した透明の平面部材と、
前記平面部材が配設される画像表示部と、
前記平面部材上での指示操作がなされた際に、前記画像表示部から発され、該指示された位置に配設されている位置パターンを透過した光を読み取ることで、当該位置パターンを読み取る位置指示器と、
前記位置指示器により読み取られた位置パターンに基づいて、前記位置指示器により指示された位置を特定する特定手段と、
を備えたことを特徴とする座標入力装置。
【請求項２】
前記位置指示器は、前記平面部材との接触および非接触を検知する接触検知手段を備えたこと特徴とする請求項１に記載の座標入力装置。
【請求項３】
所定の平面部材上での位置指示器による指示操作に基づいて、その指示位置を特定して位置座標を入力する座標入力方法であって、
透明の前記平面部材に対して光学的に透過率が相違する少なくとも２種類の不可視な要素により形成された所定の位置座標に対応する位置パターンを、位置座標ごとに配設する配設工程と、
前記配設工程によって位置パターンが配設された平面部材上で位置指示器による指示操作がなされた際に、前記平面部材が配設された画像表示部から発され、該指示された位置に配設されている位置パターンを透過した光を読み取ることで、当該位置パターンを読み取る読取工程と、
前記読取工程によって読み取られた位置パターンに基づいて、前記位置指示器により指示された位置を特定する特定工程と、
を備えたことを特徴とする座標入力方法。
【発明の詳細な説明】
【技術分野】
【０００１】
本発明は、所定の平面部材上での位置指示器による指示操作に基づいて、その指示位置を特定して位置座標を入力する座標入力装置および座標入力方法に関し、特に、大型の表示装置に対しても効率よく対応することができ、また、安価かつ簡便に量産することができ、さらに、既存の表示装置に追加することができる座標入力装置および座標入力方法に関する。
【背景技術】
【０００２】
従来、ペンやマーカーなどを使って黒板やホワイトボードなどに文字や図形を物理的に記載することが一般的であったが、最近では、電子ペンなどを用いて位置座標を検出し、検出された位置座標に基づいて、リアルタイムに文字や図形などの筆跡を表示装置の画面上に再現表示する技術が知られている。
【０００３】
たとえば、特開平９−９１０９４号公報には、タッチパネルの異なる位置に光源部と検出部とを設置するとともに、この光源部からの光束を折り返す反射部をタッチパネルに設置しておき、この光束の反射がペンなどで遮られた場合に、その角度からタッチパネルに対する接触点の位置座標を検出するよう構成したタッチパネルの座標検出装置が開示されている。
【０００４】
この先行技術に代表される従来の座標入力装置では、文字や図形などの筆跡をリアルタイムに再現表示するために、抵抗膜方式、光電方式、音響方式、感圧方式などを用いて位置座標の検出をおこなっている。
【先行技術文献】
【特許文献】
【０００５】
【特許文献１】特開平９−９１０９４号公報
【発明の概要】
【発明が解決しようとする課題】
【０００６】
しかしながら、かかる従来の座標入力装置においては、位置座標検出方式の原理上、位置座標検出の精度を維持しつつ座標入力装置の大型化を図るには、自ずと限界があった。このため、大型の表示装置を必要とする場合の多いプレゼンテーションの現場においても使用可能な程度にまで、装置の大型化を図ることが困難であるという問題点があった。
【０００７】
また、従来の座標入力装置においては、位置座標検出方式の原理上、高価な位置座標検出部を使用する必要があるので、安価かつ簡便に量産可能な座標入力装置を提供することが困難であるという問題点があった。
【０００８】
さらに、従来のタッチパネルの座標入力装置においては、位置座標検出部の高精度な位置決めが求められるため、既存の表示装置に位置座標検出部を追加して当該表示装置の画面の座標に対応した座標入力装置とすることが困難であるという問題点があった。
【０００９】
そこで、本発明は上記課題に鑑みてなされたものであって、大型の表示装置に対しても効率よく対応することができ、また、安価かつ簡便に量産することができ、さらに、既存の表示装置に追加することができる座標入力装置および座標入力方法を提供することを目的とする。
【課題を解決するための手段】
【００１０】
上記課題を解決し目的を達成するために、請求項１に係る座標入力装置は、所定の平面部材上での位置指示器による指示操作に基づいて、その指示位置を特定して位置座標を入力する座標入力装置において、光学的に透過率が相違する少なくとも２種類の不可視な要素により形成された所定の位置座標に対応する位置パターンを、位置座標ごとに配設した透明の平面部材と、前記平面部材が配設される画像表示部と、前記平面部材上での指示操作がなされた際に、前記画像表示部から発され、該指示された位置に配設されている位置パターンを透過した光を読み取ることで、当該位置パターンを読み取る位置指示器と、前記位置指示器により読み取られた位置パターンに基づいて、前記位置指示器により指示された位置を特定する特定手段と、を備えたことを特徴とする。
【００１１】
この請求項１の発明によれば、透明の平面部材には光学的に透過率が相違する少なくとも２種類の不可視な要素により形成された所定の位置座標に対応する位置パターンが、位置座標ごとに配設され、画像表示部には前記平面部材が配設され、位置指示器は前記平面部材上での指示操作がなされた際に、前記画像表示部から発され、該指示された位置に配設されている位置パターンを透過した光を読み取ることで、当該位置パターンを読み取り、特定手段は前記位置指示器により読み取られた位置パターンに基づいて、前記位置指示器により指示された位置を特定することにより、平面部材上での位置指示器による指示操作に基づいて、その指示位置を特定して位置座標を入力することができる。
【００１６】
また、請求項２に係る座標入力装置は、請求項１に記載の座標入力装置において、前記位置指示器は、前記平面部材との接触および非接触を検知する接触検知手段を備えたこと特徴とする。
【００１７】
この請求項２の発明によれば、前記位置指示器は、前記平面部材との接触および非接触を検知する接触検知手段を備えることにより、位置指示器が平面部材に対して接触している場合にのみ、位置パターンを読み取らせることができる。
【００２４】
また、請求項３に係る座標入力方法は、所定の平面部材上での位置指示器による指示操作に基づいて、その指示位置を特定して位置座標を入力する座標入力方法であって、透明の前記平面部材に対して光学的に透過率が相違する少なくとも２種類の不可視な要素により形成された所定の位置座標に対応する位置パターンを、位置座標ごとに配設する配設工程と、前記配設工程によって位置パターンが配設された平面部材上で位置指示器による指示操作がなされた際に、前記平面部材が配設された画像表示部から発され、該指示された位置に配設されている位置パターンを透過した光を読み取ることで、当該位置パターンを読み取る読取工程と、前記読取工程によって読み取られた位置パターンに基づいて、前記位置指示器により指示された位置を特定する特定工程と、を備えたことを特徴とする。
【００２５】
この請求項３の発明によれば、配設工程は透明の平面部材に対して光学的に透過率が相違する少なくとも２種類の不可視な要素により形成された所定の位置座標に対応する位置パターンを、位置座標ごとに配設し、読取工程は前記配設工程によって位置パターンが配設された平面部材上で位置指示器による指示操作がなされた際に、前記平面部材が配設された画像表示部から発され、該指示された位置に配設されている位置パターンを透過した光を読み取ることで、当該位置パターンを読み取り、特定工程は前記読取工程によって読み取られた位置パターンに基づいて、前記位置指示器により指示された位置を特定することにより、平面部材上での位置指示器による指示操作に基づいて、その指示位置を特定して位置座標を入力することができる。
【発明の効果】
【００２８】
本発明の座標入力装置（請求項１）は、平面部材上での位置指示器による指示操作に基づいて、その指示位置を特定して位置座標を入力することができるので、大型の表示装置に対しても効率よく対応することができ、また、安価かつ簡便に量産することができ、さらに、既存の表示装置に追加することが可能な座標入力装置が得られるという効果を奏する。また、本発明の座標入力装置（請求項１）は、平面部材の後ろを見通すことができるので、平面部材を既存の表示装置の画面上に付着しても、画面上に表示されている画像を確実に認識することが可能な座標入力装置が得られるという効果を奏する。また、本発明の座標入力装置（請求項１）は、電磁波や音波などに基づく位置座標検出方式と比較して、より簡単かつ確実に位置指示器の指示位置を特定して位置座標を入力することができるので、大型の表示装置に対してもより効率よく対応することができ、また、より安価かつ簡便に量産することができ、さらに、既存の表示装置に容易に追加することが可能な座標入力装置が得られるという効果を奏する。また、本発明の座標入力装置（請求項１）は、光学的に透過率が相違する少なくとも２種類の不可視な要素により位置パターンを形成しており、画像表示部の発する光を平面部材に当てることにより平面部材を透過した光を位置指示器で読み取ることができるので、位置指示器から光を発光する必要がなくなり、より簡便に位置指示器を構成することができる。
【００３１】
また、本発明の座標入力装置（請求項２）は、位置指示器が平面部材に対して接触している場合にのみ、位置パターンを読み取らせることができるので、位置指示器の読み取りの誤りを抑え、ユーザの意思を確実に反映した座標入力が可能な座標入力装置が得られるという効果を奏する。
【００３５】
また、本発明の座標入力方法（請求項３）は、平面部材上での位置指示器による指示操作に基づいて、その指示位置を特定して位置座標を入力することができる入力工程による指示入力の軌跡を、文字や図形からなる画像として、画像表示部の画面上に表示することができるので、広範囲にわたって座標を入力することができ、また、安価かつ簡便に座標を入力することができ、さらに、既存の表示装置に適用することが可能な座標入力方法が得られるという効果を奏する。また、本発明の座標入力方法（請求項３）は、光学的に透過率が相違する少なくとも２種類の不可視な要素により位置パターンが形成されており、画像表示部の発する光を平面部材に当てることにより、平面部材を透過した光を位置指示器で読み取ることができるので、位置指示器から光を発光する必要がなくなり、より簡便に位置指示器を構成することができる。
【図面の簡単な説明】
【００３７】
【図１】図１は、本実施の形態１に係る座標入力装置の全体構成を示す説明図である。
【図２】図２は、図１に示した平面部材２における位置パターンの配設の例を示す図である。
【図３】図３は、図１に示した読取器３の構成を示すブロック図である。
【図４】図４は、ＣＣＤの入力面の一部を拡大した拡大図である。
【図５】図５は、図１に示す処理部４の構成を示すブロック図である。
【図６】図６は、位置座標の検出の方法を示す概念図である。
【図７】図７は、実施の形態２における読取器６の構成を示す説明図である。
【図８】図８は、実施の形態３における読取器７の外観を示す外観図である。
【発明を実施するための形態】
【００３８】
以下、本発明に係る座標入力装置および座標入力方法の実施の形態について、添付図面を参照して詳細に説明する。なお、本実施の形態では、本発明を画像表示部を備えた座標入力装置に適用した場合を示すこととする。
【００３９】
実施の形態１
まず最初に、本実施の形態１に係る座標入力装置の構成について説明する。図１は、本実施の形態１に係る座標入力装置の全体構成を示す説明図である。同図に示すように、この座標入力装置１は、平面部材２と、読取器３と、処理部４と、画像表示部５とから構成される。以下、これらの具体的構成および動作について説明する。
【００４０】
（平面部材２の構成および動作）
図１に示した平面部材２は、画像表示部５の画面上の位置座標に対応する位置パターンを位置座標ごとに配設した透明板であり、また、この位置パターンは光学的に反射率の相違する少なくとも２種類の不可視な要素により形成される。
【００４１】
図２は、図１に示した平面部材２における位置パターンの配設の例を示す図であり、同図に示す２値模様は、光学的に反射率が相違することを意味する。このように反射率の相違する２つの要素を配設することにより、読取器３において、位置パターンを光の強弱からなる２値情報で読み取ることができる。
【００４２】
また、図２に示す２値模様は、人間の視覚では感知できない不可視な要素により形成される。たとえば、反射率がゼロに近いガラスなどの透明部材の表面上に、波長が７００ｎｍ以上の光であるところの赤外線領域を反射する特殊インクを印刷するなどして形成される。このように不可視な要素を用いて形成することにより、画像表示部５を覆うように平面部材２を設けた場合でも、画像表示部５の表示内容に対する視界の不良を抑えることができる。
【００４３】
さらに、図２に示す２値模様は、一定の領域に分割した場合に、一の小領域を形成する模様が他の一の小領域を形成する模様と同一とならないように配設される。具体的には、図２の配設例の場合には、一定の解像度を得るのに必要な間隔で小領域を設け、それぞれの小領域を形成する模様が同一とならないように、小領域内を格子状に特殊インクで印刷し、２値模様を形成している。このように同一とならないように形成することにより、複数の相異なる位置情報を画像表示部５の画面上の位置座標に対応させて配設することができる。
【００４４】
なお、ここでは、光学的に反射率の相違する２つの要素を用いて２値模様を形成しているが、透過率の相違する２つ要素により２値模様を形成することもできる。この場合には、画像表示部５の発する光を平面部材２に当てることにより、平面部材２を透過した光を読取器３で読み取ることができるので、読取器３から光を発光する必要がなくなり、より簡便に読取器３を構成することができる。
【００４５】
また、ここでは、透明板の表面上に、赤外線領域を反射する特殊インクを印刷する場合を示しているが、波長が４００ｎｍ以下の光であるところの紫外線領域を反射する特殊インクを印刷することもできる。さらには、相異なる波長の赤外線領域を反射する複数の特殊インクを印刷することにより多値模様を形成することもできる。このような多値模様を形成することとすると、狭い領域においても、より多くの位置パターンを配設することができる。ただし、この場合には、読取器３において、位置パターンを光の強弱のみならず、波長の高低をも読み取る必要があるが、特定の波長のみを通すフィルタを通すことにより、波長の高低をも読み取ることができる。
【００４６】
なお、本実施の形態１では、平面部材２において、位置パターンを配設した場合を示しているが、位置パターンだけでなく、文字・数字情報や装置操作情報などを配設することもできる。このような情報をも配設することとすると、より利便性・操作性の高い座標入力装置を提供することができる。
【００４７】
（読取器３の構成および動作）
図１に示した読取器３は、ＣＣＤ（Charge Coupled Device）などの画像センサーから構成され、平面部材２上での指示操作がなされた際に、指示された位置に配設されている位置パターンを光学的に読み取る役割を果たす。図３は、図１に示した読取器３の構成を示すブロック図である。同図に示すように、読取器３は、光源部１０と、受光部１１と、映像回路１２と、転送部１３とから構成される。
【００４８】
図３に示す光源部１０は、蛍光灯を小型にしたようなランプ（蛍光管）から構成され、平面部材２に配設されている位置パターンを照らす役割を果たす。ここでは、平面部材２における位置パターンが赤外線領域を反射する特殊インクにより印刷されているので、赤外線を発光するランプが用いられる。
【００４９】
なお、紫外線領域を反射する特殊インクにより印刷されている場合には、紫外線を発光するランプが用いられる。さらには、相異なる複数の波長の赤外線領域を反射する特殊インクにより印刷されている場合には、複数の波長の赤外線を発光するランプが用いられる。なお、平面部材２が透過率の相違する要素により構成され、画像表示部５の発する光を平面部材２に当て、平面部材２を透過した光を入力するような態様の場合には、読取器３において、光源部１０は不要である。
【００５０】
図３に示す受光部１１は、ＣＣＤから構成され、平面部材２に配設された位置パターンの画像を電気信号に変換して入力する役割を果たす。図４は、ＣＣＤの入力面の一部を拡大した拡大図である。
【００５１】
図４に示すように、ＣＣＤの入力面には、フォトダイオード１５という受光素子が、縦横それぞれ数百から数千個並んでいる。フォトダイオード１５は、そこに当たった光の強さを電荷量に変換する素子であり、各素子には受けた光に応じて電荷が蓄積される。このため、この電荷の強弱を調べることとすると、その位置に当たった光の強弱を知ることができるので、入力面全体に対してそれを調べることにより位置パターンを認識することができる。
【００５２】
なお、平面部材２における位置パターンが相異なる複数の波長の赤外線領域を反射する特殊インクにより印刷されている場合には、フォトダイオード１５の上に特定の波長のみを通すフィルタを装着することで、特定の波長の光の強弱を知ることができるので、波長の高低を加味した受光をすることができる。
【００５３】
図３に示す映像回路１２は、Ａ／Ｄコンバータから構成され、受光部１１から出力される位置パターンの画像に係るアナログ電気信号をデジタル信号に変換する役割を果たす。このようにデジタル信号に変換することとすると、入力された位置パターンの画像を劣化させることなく、デジタルの画像データとして転送、圧縮、記録などの処理をおこなうことができる。なお、ここでは、映像回路１２が読取器３の内部に構成される場合を示しているが、処理部４内において構成することもできる。
【００５４】
図３に示す転送部１３は、シリアルインターフェイス（ＳＣＩ）などのインターフェイスから構成され、画像データを処理部４に転送する役割を果たす。ここでは、画像データをデジタル信号により転送する場合を示しているが、アナログ信号により転送することもできる。なお、かかる信号は、有線、無線、赤外線などを介して転送することとなる。
【００５５】
なお、本実施の形態１では、読取器３が、全体としてペン状の形態から構成される場合を示しているが、これは読取器３の操作性を向上させるためであり、必ずしもペン状の形態である必要はない。すなわち、平面部材２に配設された位置パターンを光学的に読み取ることができる形態であれば十分である。
【００５６】
（処理部４の構成および動作）
図１に示す処理部４は、所定の電子回路から構成され、読取器３から転送されてきた画像データに基づいて、読取器３により指示された位置を特定し、画像表示部５の画面上の対応する位置座標を検出し、かつ、この検出された位置座標に基づいて、画像表示部５の画面上の対応する座標に画像を表示させる役割を果たす。
【００５７】
図５は、図１に示す処理部４の構成を示すブロック図である。同図に示すように、処理部４は、受信部２０と、記憶部２１と、制御部２２と、画像表示部コントローラ２３と、Ｄ／Ａコンバータ２４と、送信部２５とから構成される。
【００５８】
図５に示す受信部２０は、読取器３によって転送された画像データを受信し、この画像データを制御部２２に送信する役割を果たす。なお、画像データがデジタル信号で転送されてくる場合は、そのままデジタル信号で制御部２２に送信するが、画像データがアナログ信号で転送されてくる場合には、Ａ／Ｄコンバータでデジタル信号に変換した後に制御部２２に送信する。
【００５９】
図５に示す記憶部２１は、画像表示部５の画面上に表示する画像のデータ（以降において、「表示画像データ」という）を記憶する役割を果たす。たとえば、画像表示部５の画面が合計６４０×４８０＝３０７２００個のドット（座標）の解像度で構成される場合、この解像度の表示画像データを記録するには、画像を構成する３０７２００個の座標ごとに、それぞれの色を数値データ化して記憶すればよい。
【００６０】
すなわち、各座標ごとに、Ｒ（赤）、Ｇ（緑）、Ｂ（青）の光の三原色の加色による混合からなるＲＧＢデータにより記憶される。なお、読取器３の軌跡（色情報を必要としない単なる文字や図形）を表示するような場合には、記憶すべき色のデータとしては、白と黒の２色モードのデータで十分であるが、２５６色モードのデータや１６７７万色モードのデータ形式でもよい。
【００６１】
また、画像表示部５の画面の各ドット（座標）は、記憶部２１のアドレスとの対応が決められている。たとえば、画面のいちばん左上の座標のＲＧＢデータは、記憶部２１の先頭の３バイトに記憶され、その右の座標のＲＧＢデータが次の３バイトに記憶されるといった具合に、画面右下の座標のＲＧＢデータまでが順番に記憶される。なお、一画面分の画像を記憶するだけでなく、複数の画面の画像を一画面ごとにページ形式で記憶することもできることは、もちろんである。
【００６２】
図５に示す制御部２２は、読取器３によって転送された画像データに基づいて、読取器３により指示した位置を特定し、画像表示部５の画面上の対応する位置座標を検出する役割を果たす。図６は、位置座標の検出の方法を示す概念図である。
【００６３】
たとえば、図６に示すような画像データを受信部２０により受信した場合を考える。この場合、制御部２２は、受信した画像データと、あらかじめ画像表示部５の画面上の位置座標に対応して設けられている座標テーブルとに基づいて、読取器３によって指示された位置パターン３０を特定し、画像表示部５の画面上の対応する位置座標３１を検出する。
【００６４】
また、図５に示す制御部２２は、画像データから検出された位置座標に基づいて、記憶部２１の該当する座標のデータにアクセスし、色データを書き込む役割を果たす。たとえば、当初、記憶部２１の全ての座標のＲＧＢデータが黒色であった状態を考える。この場合、制御部２２は、検出された位置座標に基づいて検出された座標のＲＧＢデータを白色に書き換えることとすると、順次座標の検出がおこなわれるにしたがって、検出された座標のＲＧＢデータを白色に書き換える。このため、制御部２２は、線を引いたり、文字を書き込むといった具合に、記憶部２１の内容を書き換えることができる。
【００６５】
図５に示す画像表示部コントローラ２３は、画像表示部５を制御する役割を果たす。具体的には、先ず、記憶部２１から画像表示部５に表示すべき画像の内容（ＲＧＢデータ）を読み出し、読み出したＲＧＢデータのＲ、Ｇ、Ｂそれぞれの数値をＤ／Ａコンバータ２４に転送する。また、表示タイミングを指令するための水平同期信号と垂直同期信号を、送信部２５を介して画像表示部５に出力する。
【００６６】
図５に示すＤ／Ａコンバータ２４は、２進数の数値データを電圧の高低に変換する役割を果たす。具体的には、画像表示部コントローラ２３から転送されてきたＲ、Ｇ、Ｂのそれぞれの値を、電圧に変換し、アナログＲ信号、アナログＧ信号、アナログＢ信号のそれぞれを、送信部２５を介して画像表示部５に出力する。
【００６７】
（画像表示部５の構成および動作）
図１に示す画像表示部５は、所定の表示デバイスから構成され、処理部４から送信されてくる信号に基づいて、画面上に画像を表示する役割を果たす。表示デバイスとしては、たとえば、ＣＲＴディスプレイ、液晶デバイス、プラズマディスプレイなどが用いられる。具体的には、送信部２５から送信されてくるアナログＲ信号、アナログＧ信号、アナログＢ信号に基づいて、記憶部２１に記憶された画像が画像表示部５の画面上に再現される。この際、送信部２５から送信されてくる水平同期信号と垂直同期信号に合わせて走査をおこなうことにより、きちんと画面を表示することができる。
【００６８】
上述してきたように、本実施の形態１に係る座標入力装置は、平面部材２と、読取器３と、処理部４と、画像表示部５とを備えることにより、平面部材２上での読取器３による指示操作に基づいて、その指示位置を特定して位置座標を入力することができる。特に、本実施の形態１における位置座標検出方式は簡便なので、大型の表示装置に対しても効率よく対応することができ、また、安価かつ簡便に量産することができる座標入力装置を提供することもできる。
【００６９】
なお、本実施の形態１では、平面部材２が画像表示部５から着脱可能に構成される場合を示しているが、画像表示部５のフェイスガラスの表面上に特殊インクを印刷することにより、平面部材２と画像表示部５とを一体に構成することもできる。着脱自在に構成した場合には、既存の画像表示部５に平面部材２を付加することができる。一方、一体に構成した場合には、画像表示部５の画面に対して直接的に書き込みをおこなうような感覚で読取器３を使用することができる。
【００７０】
また、本実施の形態１では、平面部材２において光学的に反射率の相違する要素から形成される位置パターンを配設し、読取器３により平面部材２から反射してくる光のエネルギーを受光し、位置座標の検出を行う場合を示しているが、このような光のエネルギーに基づく座標位置検出方式に限られない。たとえば、電磁波、音波などによる場合でも、平面部材２と読取器３の構成を適宜変更することによって、同様に位置座標の検出をおこなうことが可能である。
【００７１】
実施の形態２
実施の形態２に係る座標入力装置は、実施の形態１に係る座標入力装置における読取器が、さらに平面部材２に対する接触および非接触を検知する接触検知部を備えるように構成されたものである。以下、読取器３を中心に、これらの具体的構成および動作について説明する。なお、上記実施の形態に示した各部と同様の機能を有する部位には同一符号を付することとしてその詳細な説明を省略する。
【００７２】
本実施の形態２における読取器は、ＣＣＤなどの画像センサーに、接触検知部が付加されて構成され、平面部材２に接触している場合にのみ位置パターンを読み取る役割を果たす。図７は、実施の形態２における読取器６の構成を示す説明図である。同図に示すように、読取器６は、受信部１１と、映像回路１２と、転送部１３と、さらに、接触部３５と、伸縮部３６と、動作スイッチ３７とからなる接触検知部とから構成される。
【００７３】
図７に示す接触部３５は、伸縮部３６に連結するように構成され、接触部３５が平面部材２に接触したことを圧力によって伸縮部３６に伝達する役割を果たす。なお、ここでは、接触部３５が管の形状をなしている場合を示しているが、必ずしもこのような形状に限らず、一部分でも平面部材２に接触するような形状であればよい。
【００７４】
図７に示す伸縮部３６は、弾性体から構成され、その伸縮によって動作スイッチ３７をオン／オフ制御する役割を果たす。具体的には、接触部３５が平面部材２に接触していない場合には、伸縮部３６は伸びきった状態にあり、動作スイッチ３７はオフの状態である。一方、接触部３５が平面部材２に接触している場合には、伸縮部３６は縮んだ状態にあり、動作スイッチ３７はオンの状態である。なお、ここでは、弾性体が伸縮スプリングにより構成される場合を示しているが、ゴムなどの弾性体でもよい。
【００７５】
図７に示す動作スイッチ３７は、オンの状態の場合にのみ、受光部１１から送られてくる位置パターンの画像に係るアナログ電気信号を映像回路１２に送信する役割を果たす。
【００７６】
上述してきたように、実施の形態２に係る座標入力装置は、読取器６が、接触部３５と、伸縮部３６と、動作スイッチ３７からなる接触検知部を備えることにより、読取器６が平面部材２に接触している場合にのみ位置パターンを入力することができる。
【００７７】
なお、本実施の形態２では、読取器３と平面部材２との接触を圧力の変化により検知する場合を示しているが、磁界や静電容量の変化、赤外線や超音波の反射強度の変化などに基づいて、読取器３と平面部材２との接触を検知することもできる。
【００７８】
実施の形態３
実施の形態３に係る座標入力装置は、実施の形態１および２に係る座標入力装置における読取器３，６が、さらに画像表示部５に表示されている画像に対する消去、複写、移動などの編集を指令する編集指令部を備え、当該指令に基づく処理を処理部４がおこなうように構成されたものである。以下、本実施の形態３に係る読取器７を中心に、これらの具体的構成および動作について説明する。なお、上記実施の形態に示した各部と同様の機能を有する部位には同一符号を付することとしてその詳細な説明を省略する。
【００７９】
本実施の形態３における読取器は、ＣＣＤなどの画像センサーに、編集指令部が付加されて構成され、画像表示部５に表示されるべき画像を編集する役割を果たす。図８は、実施の形態３における読取器７の外観を示す外観図である。同図に示すように、読取器７は、範囲指定ボタン４０と、消去ボタン４１と、複写ボタン４２と、移動ボタン４３と、ページ切替ダイヤル４４とからなる編集指令部が付加されて構成される。
【００８０】
図８に示す範囲指定ボタン４０は、画像表示部５の画面上の所望の範囲を指定する役割を果たす。具体的には、範囲指定ボタン４０を押下した状態で、平面部材２に配設された所望の位置パターンを読み取り、さらに別の位置パターンを読み取った後に、範囲指定ボタン４０を離すことにより、始点と終点を指定する。その結果、始点と終点の２点を対角とする四角形の範囲が指定される。なお、この場合、範囲を指定したことを使用者に知らせるために、画像表示部５においては、指定された範囲内の画像が反転表示される。
【００８１】
図８に示す消去ボタン４１は、範囲指定ボタン４０によって指定された範囲内の画像を消去する役割を果たす。具体的には、範囲指定ボタン４０によって、消去しようとする範囲を指定した後、消去ボタン４１を押下することにより、指定された範囲内の画像を消去する。
【００８２】
図８に示す複写ボタン４２は、範囲指定ボタン４０によって指定された範囲内の画像を所望の位置に複写する役割を果たす。具体的には、範囲指定ボタン４０によって、複写しようとする範囲を指定した後、平面部材２において配設されている所望の位置パターンを読み取り、複写ボタン４２を押下することにより、複写ボタン４２を押下した位置を始点として、指定された範囲内の画像を複写する。
【００８３】
図８に示す移動ボタン４３は、範囲指定ボタン４０によって指定された範囲内の画像を所望の位置に移動する役割を果たす。具体的には、範囲指定ボタン４０によって、移動しようとする範囲を指定した後、平面部材２において配設されている所望の位置パターンを読み取り、移動ボタン４３を押下することにより、移動ボタン４３を押下した位置を始点として、指定された範囲内の画像を移動する。
【００８４】
図８に示すページ切替ダイヤル４４は、画像表示部５に表示されるべき画像を切り替える役割を果たす。具体的には、ページ切替ダイヤル４４を左または右にダイヤルすることにより、記憶部２１によりページ形式で記憶されている画像を、一画面単位で画像表示部５に順次表示する。なお、ここでは、ダイヤルすることによりページを切り替える場合を示しているが、ページアップボタンとページダウンボタンにより切替をおこなうこともできる。また、ここでは、一画面単位でページを切り替える場合を示しているが、ページを上下または左右にスクロールさせることもできる。
【００８５】
上述してきたように、実施の形態３に係る座標入力装置は、読取器７が、消去、複写、移動などの編集を指令する編集指令部を備えることにより、ユーザの指令に応じて、画像表示部５に表示されるべき画像を編集表示および切替表示することができる。
【００８６】
なお、実施の形態３では、編集指令部において、消去、複写、移動、ページ切替の編集指令を持たせる場合を示しているが、これらの編集機能に限らず、全画像消去、画像記憶保存などの他の編集機能を持たせてもよい。
【符号の説明】
【００８７】
１  座標入力装置
２  平面部材
３，６，７  読取器
４  処理部
５  画像表示部
１０  光源部
１１  受光部
１２  映像回路
１３  転送部
１５  フォトダイオード
２０  受信部
２１  記憶部
２２  制御部
２３  画像表示部コントローラ
２４  Ｄ／Ａコンバータ
２５  送信部
３５  接触部
３６  伸縮部
３７  動作スイッチ
４０  範囲指定ボタン
４１  消去ボタン
４２  複写ボタン
４３  移動ボタン
４４  ページ切替ダイヤル
【図１】
0004768037.tif 000002
【図２】
0004768037.tif 000003
【図３】
0004768037.tif 000004
【図４】
0004768037.tif 000005
【図５】
0004768037.tif 000006
【図６】
0004768037.tif 000007
【図７】
0004768037.tif 000008
【図８】
0004768037.tif 000009